(57)【要約】【課題】靴内部の換気を強制的に行う。【解決手段】歩行に伴う荷重変化により弾性変形して容積が変化する２つの空気室１２及び１４と、一方の空気室１２を経由して、靴外部の空気を靴内部へ導入する空気導入通路１６と、他方の空気室１４を経由して、靴内部の空気を靴外部へ排出する空気排出通路１８と、を靴底１０内部に形成すると共に、空気導入通路１６の空気室１２を挟んだ両位置に、靴内部に空気を導入する方向にのみ開弁する逆止弁２０及び２２を夫々介装させる一方、空気排出通路１８の空気室１４を挟んだ両位置に、靴外部に空気を排出する方向にのみ開弁する逆止弁２４及び２６を介装させる。このようにすれば、歩行に伴い空気室１２及び１４の容積が連続的に増減し、これが一種のポンプとして機能することで、靴内部の換気が強制的に行われる。【選択図】  図１
2004148049.tif 000002
【特許請求の範囲】
【請求項１】
歩行に伴う荷重変化により弾性変形して容積が変化する２つの空気室と、
一方の空気室を経由して、靴外部の空気を靴内部へ導入する空気導入通路と、
他方の空気室を経由して、靴内部の空気を靴外部へ排出する空気排出通路と、
を靴底内部に形成すると共に、
前記空気導入通路の空気室を挟んだ両位置に、靴内部に空気を導入する方向にのみ開弁する逆止弁を夫々介装させる一方、
前記空気排出通路の空気室を挟んだ両位置に、靴外部に空気を排出する方向にのみ開弁する逆止弁を介装させたこと
を特徴とする換気機能付き靴。
【請求項２】
前記空気導入通路及び空気排出通路は、夫々、その先端が靴の爪先内部に開口することを特徴とする請求項１記載の換気機能付き靴。
【請求項３】
前記空気室は、靴の踵に対応した位置に配置されることを特徴とする請求項１又は請求項２に記載の換気機能付き靴。
【発明の詳細な説明】
【０００１】
【発明の属する技術分野】
本発明は、換気機能付き靴について、特に、靴内部の換気を強制的に行う技術に関する。
【０００２】
【従来の技術】
工場などでは、作業者の安全を確保する目的で、安全靴の着用が義務付けられていることが多い。安全靴を長時間着用していると、靴内部（特に、爪先内部）の換気が不充分であるため、足が蒸れて異臭が発生したり、水虫などに悩まされる者も多い。このようなことは、安全靴に限らず、長靴やスニーカなどでも同様に発生する。
【０００３】
このため、特許文献１に開示されるように、歩行に伴う荷重変化を利用して、靴内部の空気を外部に強制排出する一方、靴の開口部（履き口）から外気を導入することで、靴内部の換気を行う技術が提案されている。
【０００４】
【特許文献１】
特開平１１−４２１０１号公報
【０００５】
【発明が解決しようとする課題】
しかしながら、安全靴やスニーカなどのように、足の甲から脛にかけて靴紐で緊縛するものでは、足と開口部との間の隙間が小さいことから、空気の導入が不充分となり易い。このため、特許文献１に開示されている技術では、換気機能が備えられているにもかかわらず、靴内部の換気が不充分となるおそれがあった。
【０００６】
そこで、本発明は以上のような従来の問題点に鑑み、歩行に伴う荷重変化を利用して、靴内部の空気を靴外部に強制排出すると共に、靴外部の空気を靴内部に強制導入することで、靴内部の換気を充分行うことができる換気機能付き靴を提供することを目的とする。
【０００７】
【課題を解決するための手段】
このため、請求項１記載の発明では、歩行に伴う荷重変化により弾性変形して容積が変化する２つの空気室と、一方の空気室を経由して、靴外部の空気を靴内部へ導入する空気導入通路と、他方の空気室を経由して、靴内部の空気を靴外部へ排出する空気排出通路と、を靴底内部に形成すると共に、前記空気導入通路の空気室を挟んだ両位置に、靴内部に空気を導入する方向にのみ開弁する逆止弁を夫々介装させる一方、前記空気排出通路の空気室を挟んだ両位置に、靴外部に空気を排出する方向にのみ開弁する逆止弁を介装させたことを特徴とする。
【０００８】
かかる構成によれば、歩行に伴い空気室に荷重が作用すると、空気室が弾性変形して容積が減少し、空気室内の圧力が上昇する。このため、一方の空気室内の空気は、空気室と靴内部との間に位置する逆止弁を開弁し、空気導入通路を通って靴内部に導入される。また、他方の空気室内の空気は、空気室と靴外部との間に位置する逆止弁を開弁し、空気排出通路を通って靴外部へと排出される。そして、歩行に伴い空気室に荷重が作用しなくなると、空気室が弾性復元して容積が増加し、空気室内の圧力が負圧となる。このため、靴外部の空気は、靴外部と空気室との間に位置する逆止弁を開弁し、一方の空気室に吸引される。また、靴内部の空気は、靴内部と空気室との間に位置する逆止弁を開弁し、他方の空気室に吸引される。このように、歩行に伴う荷重変化により空気室の容積が増減すると、空気室が一種のポンプとして機能し、靴外部の空気が靴内部へと強制導入されると共に、靴内部の空気が靴外部へと強制排出され、靴内部が強制的に換気される。
【０００９】
請求項２記載の発明では、前記空気導入通路及び空気排出通路は、夫々、その先端が靴の爪先内部に開口することを特徴とする。
かかる構成によれば、靴の開口部から最も遠く、高温多湿となり易い爪先内部の空気が強制的に換気されるので、靴内部の平均温度及び平均湿度を効率良く低下させることが可能となる。
【００１０】
請求項３記載の発明では、前記空気室は、靴の踵に対応した位置に配置されることを特徴とする。
かかる構成によれば、歩行に伴う荷重変化が最も大きい靴の踵に対応した位置に空気室が配置されるため、空気室の容積が大きく増減し、単位時間当たりの換気量（換気効率）を最大限に向上させることが可能となる。
【００１１】
【発明の実施の形態】
以下、添付された図面を参照して本発明を詳述する。
図１は、本発明に係る換気機能付き靴を示す。
【００１２】
靴底１０内部には、歩行に伴う荷重変化により弾性変形して容積が変化する２つの空気室１２及び１４が、靴底の厚さ方向に積層して形成される。ここで、空気室１２及び１４は、歩行に伴う荷重変化が最も大きい、靴の踵に対応した位置に配置されることが望ましい。
【００１３】
また、靴底１０内部には、図中上方に位置する空気室１２（一方の空気室）を経由して、靴外部の空気を靴内部へと導入する空気導入通路１６と、図中下方に位置する空気室（他方の空気室）１４を経由して、靴内部の空気を靴外部へと排出する空気排出通路１８と、が夫々形成される。空気導入通路１６及び空気排出通路１８は、靴底１０の厚さ方向に沿った略同一面上に形成され、その先端が靴の爪先内部に開口すると共に、その基端が踵後面に開口する。そして、空気導入通路１６の空気室１２を挟んだ両位置には、靴内部に空気を導入する方向にのみ開弁する逆止弁２０及び２２が夫々介装される。一方、空気排出通路１８の空気室１４を挟んだ両位置には、靴外部に空気を排出する方向にのみ開弁する逆止弁２４及び２６が夫々介装される。
【００１４】
なお、靴内部に靴外部の空気を導入する経路と靴内部の空気を靴外部に排出する経路とは、靴底１０の厚さ方向に関して位置関係が逆になっても良いことは言うまでもない。
【００１５】
次に、換気機能付き靴の作用について説明する。
歩行に伴い靴の踵に体重（荷重）が作用すると、図２（Ａ）に示すように、靴底１０内部に形成された空気室１２及び１４が弾性変形して容積が減少し、空気室１２及び１４内の圧力が上昇する。すると、上方に位置する空気室１２内の空気は、空気室１２と爪先との間に位置する逆止弁２０を開弁し、空気導入通路１６を通って靴の爪先内部（靴内部）へと導入される。また、下方に位置する空気室１４内の空気は、空気室１４と踵後面との間に位置する逆止弁２６を開弁し、空気排出通路１８を通って靴外部へと排出される。このとき、上方に位置する空気室１２と踵後面との間に位置する逆止弁２２、及び、下方に位置する空気室１４と爪先との間に位置する逆止弁２４は、その閉弁状態が夫々維持されるため、空気導入通路１６及び空気排出通路１８を空気が逆流することが防止される。
【００１６】
歩行に伴い靴の踵に体重が作用しなくなると、図２（Ｂ）に示すように、空気室１２及び１４が弾性復元して容積が増加し、空気室１２及び１４内の圧力が負圧となる。すると、靴外部の空気は、空気室１２と踵後面との間に位置する逆止弁２２を開弁し、上方に位置する空気室１２に吸引される。また、爪先内部の空気は、空気室１４と爪先との間に位置する逆止弁２４を開弁し、下方に位置する空気室１４に吸引される。このとき、上方に位置する空気室１２と爪先との間に位置する逆止弁２０、及び、下方に位置する空気室１４と踵後面との間に位置する逆止弁２６は、その閉弁状態が夫々維持されるため、空気導入通路１６及び空気排出通路１８を空気が逆流することが防止される。
【００１７】
そして、歩行に伴い空気室１２及び１４の容積が連続して増減すると、空気室１２及び１４が一種のポンプとして機能し、爪先内部の空気を強制的に換気することができる。このとき、靴の開口部（履き口）から最も遠く、高温多湿となり易い爪先内部の空気が強制的に換気されるので、靴内部の平均温度及び平均湿度を効率良く低下させることができる。また、歩行に伴う荷重変化が最も大きい靴の踵に対応した位置に空気室１２及び１４が配置されるので、空気室１２及び１４の容積が大きく増減し、単位時間当たりの換気量（換気効率）を最大限に向上させることができる。
【００１８】
なお、空気導入通路１６及び空気排出通路１８は、図３（Ａ）に示すように、靴底１０に沿った略同一面上に延びるように形成しても良く、その基端が踵の両側面に夫々開口するように形成しても良い。また、空気導入通路１６及び空気排出通路１８は、図３（Ｂ）に示すように、空気室１２及び１４から爪先へと向かう途中で複数に分岐し、その先端が爪先内部の異なった位置に夫々開口するように形成してもよい。さらに、空気室１２及び１４は、靴底に平行な略同一面の異なった位置に形成するようにしても良い。
【００１９】
【発明の効果】
以上説明したように、請求項１記載の発明によれば、歩行に伴う荷重変化により空気室の容積が増減すると、空気室が一種のポンプとして機能し、靴外部の空気が靴内部へと強制導入されると共に、靴内部の空気が靴外部へと強制排出され、靴内部を強制的に換気することができる。
【００２０】
請求項２記載の発明によれば、靴内部の平均温度及び平均湿度を効率良く低下させることができる。
請求項３記載の発明によれば、空気室の容積が大きく増減し、単位時間当たりの換気量（換気効率）を最大限に向上させることができる。
【図面の簡単な説明】
【図１】本発明に係る換気機能付き靴の第１実施形態を示し、（Ａ）は縦断面図、（Ｂ）は靴底断面図
【図２】靴内部の換気原理を示し、（Ａ）は体重が作用したときの動作説明図、（Ｂ）は体重が作用しなくなったときの動作説明図
【図３】本発明に係る換気機能付き靴の他の実施形態を示し、（Ａ）は第２実施形態の靴底断面図、（Ｂ）は第３実施形態の靴底断面図
【符号の説明】
１０  靴底
１２，１４  空気室
１６  空気導入通路
１８  空気排出通路
２０〜２６  逆止弁
【図１】
2004148049.tif 000003
【図２】
2004148049.tif 000004
【図３】
2004148049.tif 000005